(57)【要約】　　　（修正有）【課題】　ムラ無くかつ明るく照明する表示パネルを提示する。【解決手段】　細長の光源をケース内に間隔をあけて２本以上設け、ケースの広告用の表示パネルを設け、光源からの光により表示パネルを照明する照明型看板において、ケース内に反射体を設け、反射体は光源側から表示パネル側まで直線状に外広がりとなる外側傾斜反射部と、外側傾斜反射部とは逆傾斜で外広がりとなる内側傾斜反射部と、外側傾斜反射部の表示パネル側端部に表示パネルに垂直に形成された垂直反射端部と、内側傾斜反射部の端部に表示パネルに垂直に形成された光源間垂直反射部を設け、ケースの底面、外側傾斜反射部、内側傾斜反射部、垂直反射端部、光源間垂直反射部に反射シートを張設した。【選択図】　　　図４
2004133432.tif 000002
【特許請求の範囲】
【請求項１】
　細長の光源がケース内に間隔をあけて２本以上設けられ、ケースの表側に広告用の透光性ある表示パネルが設けられ、光源からの光により表示パネルを照明するようにした照明型看板において、ケース内に複数の反射体を横に並べて設け、夫々の反射体は光源側から表示パネル側まで直線状に外広がりとなる外側傾斜反射部と、外側傾斜反射部とは逆傾斜で外広がりとなる内側傾斜反射部と、外側傾斜反射部の表示パネル側端部に表示パネルに垂直に形成された垂直反射端部と、内側傾斜反射部の端部に表示パネルに垂直に形成された光源間垂直反射部を備え、光源間垂直反射部と表示パネルとの間に光源からの光が遮られないようにするための隙間が形成され、ケースの底面、外側傾斜反射部、内側傾斜反射部、垂直反射端部、光源間垂直反射部に反射シートが張設され、夫々の反射体の外側傾斜反射部と内側傾斜反射部との内側に光源が配置されて、各光源からの光が夫々の反射体の底面、外側傾斜反射部、内側傾斜反射部、垂直反射端部、光源間垂直反射部の反射シートにより表示パネルに向けて反射されるようにしたことを特徴とする照明型看板。
【請求項２】
　請求項１記載の照明型看板において、光源が光反射材を間隔をあけて設けたフィルムを、発光管の外周に巻き付けたものであることを特徴とする照明型看板。
【請求項３】
　請求項２記載の照明型看板において、フィルムに設けた複数の光反射材のうち、表示パネルと正対する発光管の上側の光反射材の横幅を他の光反射材の横幅よりも広くしたことを特徴とする照明型看板。
【発明の詳細な説明】
【技術分野】
【０００１】
　本発明はビルや駅の構内、プラットホーム、街頭等において各種の広告や案内を表示するのに使用される照明型看板に関するものである。
【背景技術】
【０００２】
　広告や案内を表示する照明型看板は従来より各種のものがある。その一つとして本件発明者が先に開発した照明型看板がある。この照明型看板は図１２に示す様に上方開口の箱形に形成されたケースＡ内に光源（蛍光管）Ｂを複数本取付け、隣接する蛍光管Ｂの中間下方に、同蛍光管Ｂからの光を表示パネルＣ側に反射させる傾斜面Ｄを備えた山形の反射体Ｅを設けると共に、ケースＡの内周面に沿って周面反射体Ｆを設けてなるものである。
【０００３】
　前記図１２に示す照明型看板は、図１３に示す様に蛍光管Ｂから上方に出た光は直接表示パネルＣを照明し、上方以外の方向に出た光は反射体Ｅ及び周面反射体Ｆにより反射されて表示パネルＣを照明するため、表示パネルＣのうち夫々の蛍光管Ｂの中間部分も十分に照明され、表示パネルＣの明るさにムラができず、全体が明るく照明されるものである。
【発明の開示】
【発明が解決しようとする課題】
【０００４】
　前記図１２に示す照明型看板は十分に機能するものであり、特に課題はない。本件発明は、前記図１２に示す照明型看板に改良を加えることによって、より一層表示パネルをムラなく、且つ明るく照明することが可能な照明型看板を提供しようとするものである。
【課題を解決するための手段】
【０００５】
　本件出願の第１の照明型看板は、細長の光源がケース内に間隔をあけて２本以上設けられ、ケースの表側に広告用の透光性ある表示パネルが設けられ、光源からの光により表示パネルを照明するようにした照明型看板において、ケース内に複数の反射体を横に並べて設け、夫々の反射体は光源側から表示パネル側まで直線状に外広がりとなる外側傾斜反射部と、外側傾斜反射部とは逆傾斜で外広がりとなる内側傾斜反射部と、外側傾斜反射部の表示パネル側端部に表示パネルに垂直に形成された垂直反射端部と、内側傾斜反射部の端部に表示パネルに垂直に形成された光源間垂直反射部を備え、光源間垂直反射部と表示パネルとの間に光源からの光が遮られないようにするための隙間が形成され、ケースの底面、外側傾斜反射部、内側傾斜反射部、垂直反射端部、光源間垂直反射部に反射シートが張設され、夫々の反射体の外側傾斜反射部と内側傾斜反射部との内側に光源が配置されて、各光源からの光が夫々の反射体の底面、外側傾斜反射部、内側傾斜反射部、垂直反射端部、光源間垂直反射部の反射シートにより表示パネルに向けて反射されるようにしたものである。
【０００６】
　本件出願の第２の照明型看板は、前記照明型看板において、光源が光反射材を間隔をあけて設けたフィルムを、発光管の外周に巻き付けたものである。
【０００７】
　本件出願の第３の照明型看板は、前記第２の照明型看板において、フィルムに設けた複数の光反射材のうち、表示パネルと正対する発光管の上側の光反射材の横幅を他の光反射材の横幅よりも広くしたものである。
【発明の効果】
【０００８】
　本件出願の第１の照明型看板は、次のような効果を有する。
　反射体は、光源側から表示パネル側まで直線状に外広がりとなる傾斜反射部と、表示パネル側端部に表示パネルに垂直な垂直反射端部とを備えているので、光源からの光が表示パネルに効率的に反射され、同表示パネルの全体がムラなく、且つ十分に明るく照明される。
【０００９】
　本件出願の第２の照明型看板は、次のような効果を有する。
　反射体は、傾斜反射部と、垂直反射端部と、光源に向けて表示パネルと水平に突設された水平反射部とを備えているので、より一層表示パネルの全体がムラなく、且つ十分に明るく照明される。
【００１０】
　本件出願の第３の照明型看板は、次のような効果を有する。
　反射体は、傾斜反射部と、垂直反射端部と、隣接する光源間に表示パネルに垂直に突設された光源間垂直反射部とを備えているので、特に表示パネルのうち、隣接する光源の間の部分も、ムラなく、且つ十分に明るく照明することができる。
【００１１】
　本件出願の第４の照明型看板は、次のような効果を有する。
　ケース内の光源の外側に外側反射体が、隣接する光源間に中間反射体が設けられ、外側反射体は傾斜反射部、垂直反射端部、水平反射部を備え、中間反射体はその外側の光源側から内側に向けて外側広がりになる本体反射部と、表示パネルに垂直な本体垂直反射部と、表示パネルと水平な本体水平反射部を備えているので、特に光源が２以上の両面看板において、表示パネルの全体がムラなく、且つ十分に明るく照明される。
【００１２】
　本件出願の第５の照明型看板は、次のような効果を有する。
　光源が、その外周面に光反射材を設けたものであるので、表示パネルをより一層明るく照明することができる。
【００１３】
　本件出願の第１の光反射材付発光管は、次のような効果を有する。
　発光管の外周面に光反射材を設けたものであるので、照明型看板の光源として使用すると表示パネルをより一層明るく照明することができる。
【００１４】
　本件出願の第２の光反射材付発光管は、次のような効果を有する。
　発光管の外周面に光反射材を間隔をあけて設けたフィルムを巻き付けたので製作が容易である。
【発明を実施するための最良の形態】
【００１５】
　（実施形態１）
　本発明の照明型看板の第１の実施形態を図１、図２、図６、図７に基づいて詳細に説明する。本発明の照明型看板は図１に示す様に、表面に広告が表示された透光性のある表示パネルが配置固定されるケース１内に、細長の光源２と、同光源２からの光を表示パネル３側に反射させる反射体４を備えてなるものである。
【００１６】
　前記ケース１は図１に示す様にアルミ又はアルミ合金又はステンレス等の板材を加工して横長で上方開口の箱状に形成してなるものである。同図及び図２（ａ）、（ｂ）に示す様にケース１の周縁に内側コ字形の嵌合凹部３０を形成して、前記表示パネル３の外周縁部３３を嵌合可能としてある。このケース１には各種サイズのものがあるが、図１に示すものは一例として縦幅７５ｃｍ、横幅１２０ｃｍ、高さ１０ｃｍとしてある。
【００１７】
　前記表示パネル３は乳白色の長方形アクリル板の表面に、広告用の文字や図柄等を表示してなるものである。この表示パネル３は図１に示す様に前記ケース１の上方から、その外周縁部３３を同ケース１の嵌合凹部３０に嵌め込む様にしてセットすると、図２（ａ）、（ｂ）に示す様にケース１の嵌合凹部３０の内側に隙間なく勘合される形状及び大きさとしてある。表示パネル３はケース１の嵌合凹部３０に嵌合された外周縁部３３を図示されていない螺子によってケース１に固定することによって同ケース１に固定することができるようにしてある。
【００１８】
　前記表示パネル３の板厚、乳白色の濃さ等は任意に選択することができる。但し、光源２からの光で表示パネル３の表面全体がムラなく照明されるようにするためには乳白色の濃さを濃くする方が望ましいが、その一方で濃くし過ぎると明るさが低下する。したがって、照明ムラがなく、且つ全体が十分な明るさで照明される濃さを選択することが望ましい。また、表示パネル３の表面に表される広告用の文字や図柄等は、同表示パネルの表面に直接印刷してもよく、文字や図柄等が表示されたシートを表示パネルの表面に貼ってもよい。
【００１９】
　前記反射体４は図１に示す様にケース１の内側面に沿って形成されている。この反射体４は図１及び図２（ａ）、（ｂ）に示す様にケース１の底面３４から前記表示パネル３に向けて直線状に外広がりに形成された傾斜反射部５と、同傾斜反射部５の表示パネル３側端部に、同表示パネル３に向けて垂直に突設された垂直反射端部６とを備えている。また、図２（ａ）、（ｂ）に示す様に前記傾斜反射部５の表面、垂直反射端部６の表面及びケース１の底面３４には反射シート３６が張設され、光源２から出た光を前記表示パネル３に向けて反射させるようにしてある。この光反射シート３６は前記傾斜反射部５の表面、垂直反射端部６の表面及びケース１の底面３４の全てを覆うことが可能な大きさの一枚ものとすることもでき、傾斜反射部５の表面、垂直反射端部６の表面、ケース１の底面３４のそれぞれに別々の反射シート３６を張設することもできる。何れにしてもこの反射シート３６としては東レ株式会社製の反射性シート（商品名：ルミラー）が適している。もっともこれ以外の反射シート３６を張設することも可能である。尚、前記傾斜反射部５は光源２からの光を最も効率良く表示パネル３に反射可能な傾斜角度としてあることは勿論である。
【００２０】
　前記光源２は本件発明の光反射材付発光管であり、具体的には図６（ｃ）に示す様に発光管（蛍光灯）２０の外周面に帯状の光反射材１４を、その周方向に間隔を開けて配置したものである。さらに具体的は図６（ａ）に示す様に表面に帯状の光反射材１４が一定間隔で複数配置された透明なフィルム２１を、同図（ｂ）に示す様に、光反射材１４が外側になる向きで発光管２０の外周面に巻つけることによって、同図（ｃ）に示す様に発光管２０の外周面に帯状の光反射材１４が一定間隔で配置されるようにしてある。前記光反射材１４には従来から存在する光反射材や専用に開発された光反射材を使用することができるが、本実施例においては古河電機工業株式会社製の超微細ＰＥＴ（ポリエチレンテレフタレート樹脂）発砲シートを使用した。また、光反射材１４は前記のようにフィルム２１を介して発光管２０に取付けることなく、発光管の外周面に印刷や蒸着等によって直接設けることもできる。また、図６（ｄ）に示す様に発光管２０の外周面に設けられた複数の光反射材１４のうち表示パネル３と正対する発光管２０上下の光反射材１４を他のそれよりも横幅を広くして表示パネル３により効率的に光が反射されるようにすることもできる。尚、図６（ｄ）に示した両面看板の場合であるので、表示パネル３が１枚の片面看板の場合は、表示パネル３と正対する発光管２０上側の光反射材１４のみ横幅を広くする。
【００２１】
　前記光源２は図７に示す様に、その両端を、ケース１の長手方向両側に設けられている傾斜反射部５に形成された通孔３９から同傾斜反射部５の外側まで夫々貫通させ、ケース１の底面３４に立設された支持板４２に取付けられているソケット４５にセットして、図示されていない電源コードを介して電源が供給されるようにしてある。また、光源２が蛍光灯の場合には各種安定器によってちらつきを解消することが望ましく、特にインバータ安定器を用いるのが望ましい。
【００２２】
　　（実施形態２）
　本発明の照明型看板の第２の実施形態を図３に基づいて説明する。図３に示す照明型看板の基本構成は図１に示すものと同一である。異なるのは前記図１に示す照明型看板は同図に示す様に表示パネル３が１枚のいわゆる片面看板であるが、図３に示す照明型看板は同図（ｂ）に示す様に２枚の表示パネル３を対向する様に配置したいわゆる両面看板であること、及びこれに対応して反射体４の構成を変更したことである。
【００２３】
　具体的には図３（ａ）、（ｂ）に示す様にケース１の中央に配置された光源２の軸の両外側に形成された夫々の反射体４が、光源２側から対向する上下の表示パネル３の夫々に向けて直線状に外広がりとなる２つの傾斜反射部５によって山形に形成され、且つ２つの傾斜反射部５の接合部から光源２に向けて表示パネルと水平な水平反射部７を形成し、これら傾斜反射部５及び水平反射部７の表面に前記と同様の反射シート３６を張設した。図３（ａ）、（ｂ）に示す様に夫々の傾斜反射部５の表示パネル３側端部に、同表示パネル３に垂直な垂直反射端部６が形成され、その表面に反射シート３６が張設されていることは図１に示す照明型看板と同様である。また、２枚の表示パネル３を対向させて取付けるために、図３（ｂ）に示す様にケース１の厚さ方向両側に嵌合凹部３０を形成してある。
【００２４】
　　（実施形態３）
　本発明の照明型看板の第３の実施形態を図４に基づいて詳細に説明する。図４に示す照明型看板の基本構成は図１に示すものと同一である。異なるのは図４に示す様にケース１内に光源２を間隔を開けて２本配置し、夫々の光源２の外側に反射体４を設けたことである。
【００２５】
　前記夫々の反射体４は図４に示す様に光源２より外側に設けられ、同光源２側から表示パネル３側まで直線状に外広がりとなる傾斜反射部５と、同傾斜反射部５と光源２を挟んで内側（ケースの中央側）に設けられ、前記傾斜反射部５とは逆傾斜で外広がりとなる傾斜反射部５とを備えており、光源２より外側に設けられた傾斜反射部５の表示パネル３側端部には同表示パネル３に垂直な垂直反射端部６が突設されている。また、光源２より内側に設けられた傾斜反射部５は同図に示す様に、前記光源２より外側に設けられた傾斜反射部５よりも緩やかな傾斜としてあり、その表示パネル３側端部には同表示パネル３に垂直な光源間垂直反射部８が突設されている。更に、光源間垂直反射部８と表示パネル３との間には隙間４８が形成され、夫々の光源２から光が当該光源間垂直反射部８によって遮られることがないようにしてある。尚、光源間垂直反射部８の表面にも前記と同様の反射シート３６が張設されていることは勿論である。
【００２６】
　（実施形態４）
　本発明の照明型看板の第４の実施形態を図５に基づいて詳細に説明する。図５に示す照明型看板の基本構成は図１に示すものと同一である。異なるのは図５に示す様に表示パネル３が２枚の両面看板であって、ケース１内に間隔を開けて２本の光源２を配置し、両光源２の外側に外側反射体９を設け、両光源２の間に中間反射体１０を設けたことである。
【００２７】
　前記外側反射体９は図５に示す様に光源２側から上下の表示パネル３、３の夫々に向けて直線状に外広がりになる２つの傾斜反射部５により山形に形成される共に、２つの傾斜反射部５の接合部から光源２に向けて表示パネル３と水平な水平反射部７が突設され、夫々の傾斜反射部５の表示パネル３側端部には同表示パネル３に垂直な垂直反射端部６が突設されている。
【００２８】
　前記中間反射体１０は図５に示す様に、その外側の光源２側から内側（ケース１の中央側）に向けて直線状に外広がりになる４つの本体反射部１１によって菱形に形成されると共に、本体反射部１１の光源２側端部から表示パネル３に対して水平な本体水平反射部１３が突設され、表示パネル３側端部から同表示パネル３に垂直な本体垂直反射部１２が突設されている。前記外側反射体９及び中間反射体１０の表面に前記と同様の反射シート３６が張設されていることは勿論である。
【００２９】
　　（実験例）
　本発明の照明型看板の効果を実証すべく行った実験の結果を次に示す。本実験は次の３つの異なる照明型看板を用意し、夫々について照度を測定したものである。
　（１）図１に示すケース内に光反射材を設けていない光源を１本配置した照明型看板（反射体は一切設けていない）
　（２）図１に示すケース内に傾斜反斜部のみが形成された反射体（垂直反射部は形成されていない）を設け、光反射材を張設した光源を１本配置した照明型看板
　（３）図１に示す本発明の照明型看板
以上の照明型看板には全て同一の表示パネルを取付けた。また、光源はすべて４０Ｗ昼光色の蛍光灯である。
【００３０】
　以上の条件の下で夫々の照明型看板における照度を測定したところ（１）の照明型看板の測定結果は図８に示すグラフ（グラフ１）の様になった。以下同様に（２）の照明型看板の測定結果は図９に示すグラフ（グラフ２）の様に、（３）の照明型看板の測定結果は図１０に示すグラフ（グラフ３）の様になった。これらのグラフ１〜グラフ３は横軸が光源の水平方向における照度を示し、縦軸が垂直方向における照度を示す。
【００３１】
　グラフ１及びグラフ３から明らかなように、本発明の照明型看板では光源から水平方向に最も近い測定位置での照度が３３００ルクスであるのに対し、（１）の照明型看板のそれは１４５０ルクスであり、本発明の照明型看板は（１）の照明型看板に比べて約２．３倍の照度を記録した。同様に本発明の照明型看板は光源から水平方向に最も遠い測定位置での照度が２４００〜２３００ルクスであるのに対し、（１）の照明型看板のそれは５５０ルクスであり、本発明の照明型看板は（１）のそれに比べて約４．３倍の照度を記録した。
【００３２】
　また、本発明の照明型看板では光源から垂直方向に最も近い測定位置での照度が３１００〜３１５０ルクスであるのに対し、（１）の照明型看板のそれは１０００ルクスであり、本発明の照明型看板は（１）の照明型看板に比べて約３倍の照度を記録した。同様に本発明の照明型看板では光源から垂直方向に最も遠い測定位置での照度が２２００ルクスであるのに対し、（１）の照明型看板のそれは２００ルクスであり、本発明の照明型看板は（１）の照明型看板に比べて約１１倍の照度を記録した。
【００３３】
　以上の様に本発明の照明型看板は、（１）の照明型看板に比べて、水平方向で最大約４．３倍、垂直方向で最大約１１倍の照度を得ることができた。
【００３４】
　次にグラフ２及びグラフ３から明らかなように本発明の照明型看板では光源から水平方向に最も近い測定位置での照度が３３００ルクスであるのに対し、（２）の照明型看板のそれは１２００ルクスであり、本発明の照明型看板は（２）の照明型看板に比べて約２．７倍の照度を記録した。同様に本発明の照明型看板は光源から水平方向に最も遠い測定位置での照度が２４００〜２３００ルクスであるのに対し、（２）の照明型看板のそれは８５０ルクスであり、本発明の照明型看板は（２）の照明型看板に比べて約２．７倍の照度を記録した。
【００３５】
　また、本発明の照明型看板では光源から垂直方向に最も近い測定位置での照度が３１００〜３１５０ルクスであるのに対し、（２）の照明型看板のそれは１０００ルクスであり、本発明の照明型看板は（２）の照明型看板に比べて約３倍の照度を記録した。同様に本発明の照明型看板では光源から垂直方向に最も遠い測定位置での照度が２２００ルクスであるのに対し、（２）の照明型看板のそれは８００〜８５０ルクスであり、本発明の照明型看板は（２）の照明型看板に比べて約２．６倍の照度を記録した。
【００３６】
　以上の様に本発明の照明型看板は、（２）の照明型看板に比べて、水平方向で最大約２．７倍、垂直方向で最大約３倍の照度を得ることができた。
【００３７】
　　（他の実施形態）
　光源は蛍光灯に限らず、ネオン管や通常の蛍光管よりも光量を多くした看板管等を使用することもできる。このうちネオン管は同サイズの蛍光管よりも光量は少なく暗いが、暗い分だけ表示パネルに近づけても、表示パネルのうちネオン管の近傍のみが極端に明るくなることがなく、表示パネルの明るさにムラが生じないため、ネオン管を表示パネルに近づけて同表示パネルを明るく照明することが可能である。
【００３８】
　また、光源の数は上記の数に限られるものではなく、照明型看板の大きさや形状等に合わせて、これより多くすることも少なくすることもできる。さらに、その配置方法も横に複数本並べて配置することもでき、縦に複数本並べて配置することもでき、さらにはこれらを組み合わせた配置も可能である。
【００３９】
　前記実施形態では表示パネル３をケース１の周縁に形成された嵌合凹部３０に嵌合することによって、ケース１に取付けたが、図１１に示す様にケース１の周縁に受縁５１を形成し、同受縁５１の上に表示パネル３の外周縁部３３をのせ、表示パネル３の外周縁部３３の上から抑え枠５４を被せ、この抑え枠５４を図示されていない螺子等によってケース１に固定することによって、当該抑え枠５４と前記受縁５１との間に表示パネル３の外周縁部３３を挟着固定することもできる。
【図面の簡単な説明】
【００４０】
【図１】本発明の照明型看板の第１の実施形態を示す説明図。
【図２】（ａ）は図１に示す照明型看板の構造を示す横断面説明図、（ｂ）は同縦断面説明図。
【図３】（ａ）は本発明の照明型看板の第２の実施形態を示す説明図、（ｂ）は（ａ）の横断面図。
【図４】本発明の照明型看板の第３の実施形態を示す横断面図。
【図５】本発明の照明型看板の第４の実施形態を示す横断面図。
【図６】（ａ）は本発明の反射材付発光管に使用される発光材の一例を示す説明図、（ｂ）は本発明の反射材付発光管の一例を示す端面図、（ｃ）は同側面図、（ｄ）は発光材の取り付け例の一例を示す説明図。
【図７】光源の取付け状態の一例を示す説明図。
【図８】照明型看板の照度実験の結果を示すグラフ１。
【図９】照明型看板の照度実験の結果を示すグラフ２。
【図１０】本発明の照明型看板の照度実験の結果を示すグラフ３。
【図１１】本発明の照明型看板の第２の実施形態を示す説明図。
【図１２】従来の照明型看板の一例を示す説明図。
【図１３】図１２に示す照明型看板における表示パネルの照明状態を示す説明図。
【符号の説明】
【００４１】
　　１　ケース
　　２　光源
　　３　表示パネル
　　４　反射体
　　５　傾斜反射部
　　６　垂直反射端部
　　７　水平反射部
　　８　光源間垂直反射部
　　９　外側反射体
　１０　中間反射体
　１１　本体反射部
　１２　本体垂直反射部
　１３　本体水平反射部
　１４　光反射材
　２０　発光管
　２１　フィルム
【図１】
2004133432.tif 000003
【図２】
2004133432.tif 000004
【図３】
2004133432.tif 000005
【図４】
2004133432.tif 000006
【図５】
2004133432.tif 000007
【図６】
2004133432.tif 000008
【図７】
2004133432.tif 000009
【図８】
2004133432.tif 000010
【図９】
2004133432.tif 000011
【図１０】
2004133432.tif 000012
【図１１】
2004133432.tif 000013
【図１２】
2004133432.tif 000014
【図１３】
2004133432.tif 000015
【手続補正書】
【提出日】平成15年9月19日(2003.9.19)
【手続補正１】
【補正対象書類名】特許請求の範囲
【補正対象項目名】全文
【補正方法】変更
【補正の内容】
【特許請求の範囲】
【請求項１】
　細長の光源（２）がケース（１）内に間隔をあけて２本以上設けられ、ケース（１）の表側に広告用の透光性ある表示パネル（３）が設けられ、光源（２）からの光により表示パネル（３）を照明するようにした照明型片面看板において、ケース（１）内に複数の反射体（４）を横に並べて設け、夫々の反射体（４）は光源（２）側から表示パネル（３）側まで直線状に外広がりとなる外側傾斜反射部（５ａ）と、外側傾斜反射部（５ａ）とは逆傾斜で外広がりとなる内側傾斜反射部（５ｂ）と、外側傾斜反射部（５ａ）の表示パネル（３）側端部に表示パネル（３）に縦向きに形成された縦向き反射端部（６）と、内側傾斜反射部（５ｂ）の端部に表示パネル（３）に縦向きに形成された光源間縦向き反射部（８）を備え、光源間縦向き反射部（８）と表示パネル（３）との間に光源（２）からの光が遮られないようにするための隙間（４８）が形成され、反射体（４）の底面反射部（４ａ）、外側傾斜反射部（５ａ）、内側傾斜反射部（５ｂ）、縦向き反射端部（６）、光源間縦向き反射部（８）に反射シート（３６）が張設され、夫々の反射体（４）の底面反射部（４ａ）と外側傾斜反射部（５ａ）と内側傾斜反射部（５ｂ）との内側に光源（２）が配置されて、各光源（２）からの光が夫々の反射体（４）の底面反射部（４ａ）、外側傾斜反射部（５ａ）、内側傾斜反射部（５ｂ）、縦向き反射端部（６）、光源間縦向き垂直反射部（８）の反射シート（３６）により表示パネル（３）に向けて反射されるようにしたことを特徴とする照明型片面看板。
【請求項２】
　請求項１記載の照明型片面看板において、光源（２）が、光反射材（１４）を間隔をあけて設けたフィルム（２１）を、発光管（２０）の外周に巻き付けたものであることを特徴とする照明型片面看板。
【請求項３】
　請求項２記載の照明型片面看板において、フィルム（２１）に設けた複数の光反射材（１４）のうち、表示パネル（３）と正対する発光管（２０）の上側の光反射材（１４）の横幅を他の光反射材（１４）の横幅よりも広くしたことを特徴とする照明型片面看板。
【手続補正２】
【補正対象書類名】明細書
【補正対象項目名】全文
【補正方法】変更
【補正の内容】
【発明の詳細な説明】
【技術分野】
【０００１】
　本発明はビルや駅の構内、プラットホーム、街頭等において各種の広告や案内を表示するのに使用される照明型片面看板に関するものである。
【背景技術】
【０００２】
　広告や案内を表示する照明型看板は従来より各種のものがある。その一つとして本件発明者が先に開発した照明型看板がある。この照明型看板は図５に示す様に上方開口の箱形に形成されたケースＡ内に光源（蛍光管）Ｂを複数本取付け、隣接する蛍光管Ｂの中間下方に、同蛍光管Ｂからの光を表示パネルＣ側に反射させる傾斜面Ｄを備えた山形の反射体Ｅを設けると共に、ケースＡの内周面に沿って周面反射体Ｆを設けたものである。
【０００３】
　前記図５に示す照明型看板は、図６に示す様に蛍光管Ｂから上方に出た光は直接表示パネルＣを照明し、上方以外の方向に出た光は反射体Ｅ及び周面反射体Ｆにより反射されて表示パネルＣを照明するため、表示パネルＣのうち夫々の蛍光管Ｂの中間部分も十分に照明され、表示パネルＣの明るさにムラができず、全体が明るく照明されるものである。
【発明の開示】
【発明が解決しようとする課題】
【０００４】
　前記図５に示す照明型看板は十分に機能するものであり、特に課題はない。本件発明は、前記図５に示す照明型看板に改良を加えることによって、より一層表示パネルをムラなく、且つ明るく照明することが可能な照明型看板を提供しようとするものである。
【課題を解決するための手段】
【０００５】
　本件出願の第１の照明型片面看板は、細長の光源２がケース１内に間隔をあけて２本以上設けられ、ケース１の表側に広告用の透光性ある表示パネル３が設けられ、光源２からの光により表示パネル３を照明するようにした照明型片面看板において、ケース１内に複数の反射体４を横に並べて設け、夫々の反射体４は光源２側から表示パネル３側まで直線状に外広がりとなる外側傾斜反射部５ａと、外側傾斜反射部５ａとは逆傾斜で外広がりとなる内側傾斜反射部５ｂと、外側傾斜反射部５ａの表示パネル３側端部に表示パネル３に縦向きに形成された縦向き反射端部６と、内側傾斜反射部５ｂの端部に表示パネル３に縦向きに形成された光源間縦向き反射部８を備え、光源間縦向き反射部８と表示パネル３との間に光源２からの光が遮られないようにするための隙間４８が形成され、反射体４の底面反射部４ａ、外側傾斜反射部５ａ、内側傾斜反射部５ｂ、縦向き反射端部６、光源間縦向き反射部８に反射シート３６が張設され、夫々の反射体４の底面反射部４ａと外側傾斜反射部５ａと内側傾斜反射部５ｂとの内側に光源２が配置されて、各光源２からの光が夫々の反射体４の底面反射部４ａ、外側傾斜反射部５ａ、内側傾斜反射部５ｂ、縦向き反射端部６、光源間縦向き垂直反射部８の反射シート３６により表示パネル３に向けて反射されるようにしたものである。
【０００６】
　本件出願の第２の照明型片面看板は、前記照明型片面看板において、光源２が、光反射材１４を間隔をあけて設けたフィルム２１を、発光管２０の外周に巻き付けたものである。
【０００７】
　本件出願の第３の照明型看板は、前記第２の照明型片面看板において、フィルム２１に設けた複数の光反射材１４のうち、表示パネル３と正対する発光管２０の上側の光反射材１４の横幅を他の光反射材１４の横幅よりも広くしたものである。
【発明の効果】
【０００８】
　本件出願の照明型片面看板は、次のような効果が有る。
　１．反射体は、底面反射部４ａと、光源側から表示パネル側まで直線状に外広がりとなる外側傾斜反射部５ａと、内側傾斜反射部５ｂと、縦向き反射端部６と、光源間縦向き反射部８を備え、それらに反射シート３６が設けられているので、光源からの光が表示パネルに効率良く反射され、表示パネルの全体がムラなく且つ十分に明るく照明される。
　２．隣接する光源間に光源間縦向き反射部８を備え、光源間縦向き垂直反射部８と表示パネル３との間に光源２からの光が遮られないようにする隙間を設けたので、表示パネルのうち、隣接する光源の間の部分も隙間を通じて表示パネル３に照射され、ムラなく、且つ十分に明るく照明することができる。
　３．発光管の外周面に光反射材を間隔をあけて設けたフィルムを巻き付けて光源としたので、光反射材付光源の製作が容易であり、フィルムの交換も容易である。
【発明を実施するための最良の形態】
【０００９】
　（実施形態１）
　本発明の照明型片面看板の第１の実施形態を図１、図３に基づいて詳細に説明する。本発明の照明型看板は表面に広告が表示された透光性のある表示パネル３が配置固定されるケース１内に、間隔を開けて設けられた２本の細長の光源２と、同光源２からの光を表示パネル３側に反射させる反射体４を備えたものである。
【００１０】
　前記ケース１は図１（ａ）、（ｂ）に示す様にアルミ又はアルミ合金又はステンレス等の板材を加工して横長で上方開口の箱状に形成したものである。ケース１の周縁に内側コ字形の嵌合凹部３０を形成して、前記表示パネル３の外周縁部３３を嵌合可能としてある。このケース１には各種サイズのものがある。
【００１１】
　前記表示パネル３は乳白色の長方形アクリル板の表面に、広告用の文字や図柄等を表示してなるものである。この表示パネル３は図１（ａ）、（ｂ）に示す様に前記ケース１の上方から、その外周縁部３３を同ケース１の嵌合凹部３０に嵌め込む様にしてセットすると、ケース１の嵌合凹部３０の内側に隙間なく嵌合される形状及び大きさとしてある。表示パネル３はケース１の嵌合凹部３０に嵌合された外周縁部３３を図示されていない螺子によってケース１に固定することによって同ケース１に固定することができるようにしてある。
【００１２】
　前記表示パネル３の板厚、乳白色の濃さ等は任意に選択することができる。但し、光源２からの光で表示パネル３の表面全体がムラなく照明されるようにするためには乳白色の濃さを濃くする方が望ましいが、その一方で濃くし過ぎると明るさが低下する。したがって、照明ムラがなく、且つ全体が十分な明るさで照明される濃さを選択することが望ましい。また、表示パネル３の表面に表される広告用の文字や図柄等は、同表示パネル３の表面に直接印刷してもよく、文字や図柄等が表示されたシートを表示パネル３の表面に貼ってもよい。
【００１３】
　前記反射体４は図１（ａ）に示す様に夫々の光源２の外側に配置され、ケース１の内側面に沿って形成されている。この反射体４は図１（ａ）、（ｂ）に示す様にケース１の底面３４側の底面反射部４ａから前記表示パネル３に向けて直線状に外広がりに形成された外側傾斜反射部５ａと、外側傾斜反射部５ａと光源２を挟んで内側（ケースの中央側）に設けられ、外側傾斜反射部５ａとは逆傾斜で外広がりとなる内側傾斜反射部５ｂとを備えており、光源２より外側に設けられた外側傾斜反射部５ａの表示パネル３側端部には同表示パネル３に垂直な縦向き反射端部６が突設されている。また、光源２より内側に設けられた内側傾斜反射部５ｂは同図に示す様に、光源２より外側に設けられた外側傾斜反射部５ａよりも緩やかな傾斜としてあり、その表示パネル３側端部には同表示パネル３に垂直な光源間縦向き反射部８が突設されている。更に、光源間縦向き反射部８と表示パネル３との間には隙間４８が形成され、夫々の光源２から光が当該光源間縦向き反射部８によって遮られることがないようにしてある。
【００１４】
　前記底面反射部４ａ、外側傾斜反射部５ａ、内側傾斜反射部５ｂ、垂直反射端部６、光源間縦向き反射部８の表面及びケース１の底面３４には反射シート３６が張設され、光源２から出た光を前記表示パネル３に向けて反射させるようにしてある。この反射シート３６は前記外側傾斜反射部５ａの表面、内側傾斜反射部５ｂの表面、垂直反射端部６の表面、光源間縦向き反射部８の表面の全てを覆うことが可能な大きさの一枚ものとすることもでき、外側傾斜反射部５ａの表面、内側傾斜反射部５ｂの表面、縦向き反射端部６の表面、光源間縦向き反射部８の表面、底面反射部４ａのそれぞれに別々の反射シート３６を張設することもできる。何れにしてもこの反射シート３６としては東レ株式会社製の反射性シート（商品名：ルミラー）が適している。もっともこれ以外の反射シート３６を張設することも可能である。前記外側傾斜反射部５ａ、内側傾斜反射部５ｂは光源２からの光を最も効率良く表示パネル３に反射可能な傾斜角度としてあることは勿論である。
【００１５】
　前記光源２は本件発明の光反射材付発光管であり、具体的には図２（ｃ）に示す様に、発光管（蛍光灯）２０の外周面に帯状の光反射材１４をその周方向に間隔１２を開けて配置したものである。さらに具体的は図２（ａ）に示す様に表面に帯状の光反射材１４が一定間隔で複数配置された透明なフィルム２１を、同図（ｂ）に示す様に、光反射材１４が外側になる向きで発光管２０の外周面に巻きつけることによって、同図（ｃ）に示す様に発光管２０の外周面に帯状の光反射材１４が一定間隔で配置されるようにしてある。前記光反射材１４には従来から存在する光反射材や専用に開発された光反射材を使用することができるが、本実施例においては東レ株式会社製の超微細ＰＥＴ（ポリエチレンテレフタレート樹脂）発泡シートを使用した。図２（ｄ）に示す様に発光管２０の外周面に設けられた複数の光反射材１４のうち表示パネル３と正対する発光管２０上下の光反射材１４を他のそれよりも横幅を広くして表示パネル３により効率的に光が反射されるようにすることもできる。光反射材１４は表示パネル３が１枚である本発明の照明型片面看板の場合は、表示パネル３と正対する発光管２０上側の光反射材１４のみ横幅を広くする。
【００１６】
　前記光源２は図３に示す様に、その両端を、ケース１の長手方向両側に設けられている外側傾斜反射部５ａに形成された通孔３９から同外側傾斜反射部５ａの外側まで夫々貫通させ、ケース１の底面３４に立設された支持板４２に取付けられているソケット４５にセットして、図示されていない電源コードを介して電源が供給されるようにしてある。また、光源２が蛍光灯の場合には各種安定器によってちらつきを解消することが望ましく、特にインバータ安定器を用いるのが望ましい。
【００１７】
　　（他の実施形態）
　光源は蛍光灯に限らず、ネオン管や通常の蛍光管よりも光量を多くした看板管等を使用することもできる。このうちネオン管は同サイズの蛍光管よりも光量は少なく暗いが、暗い分だけ表示パネルに近づけても、表示パネルのうちネオン管の近傍のみが極端に明るくなることがなく、表示パネルの明るさにムラが生じないため、ネオン管を表示パネルに近づけて同表示パネルを明るく照明することが可能である。
【００１８】
　また、光源の数は上記の数に限られるものではなく、照明型看板の大きさや形状等に合わせて、これより多くすることも少なくすることもできる。さらに、その配置方法も横に複数本並べて配置することもでき、縦に複数本並べて配置することもでき、さらにはこれらを組み合わせた配置も可能である。
【００１９】
　前記実施形態では表示パネル３をケース１の周縁に形成された嵌合凹部３０に嵌合することによって、ケース１に取付けたが、図４に示す様にケース１の周縁に受縁５１を形成し、同受縁５１の上に表示パネル３の外周縁部３３をのせ、表示パネル３の外周縁部３３の上から抑え枠５４を被せ、この抑え枠５４を図示されていない螺子等によってケース１に固定することによって、当該抑え枠５４と前記受縁５１との間に表示パネル３の外周縁部３３を挟着固定することもできる。
【図面の簡単な説明】
【００２０】
【図１】（ａ）は本発明の照明型片面看板の構造を示す説明図、（ｂ）は（ａ）の縦断面説明図。
【図２】（ａ）は本発明の照明型片面看板に使用される光源の光反射材付フィルムの一例を示す説明図、（ｂ）は本発明の照明型片面看板に使用される光源の一例を示す端面図、（ｃ）は（ｂ）の光源の斜視図、（ｄ）は本発明の照明型片面看板の表示パネルと光源の配置関係を示す説明図。
【図３】光源の取付け状態の一例を示す説明図。
【図４】本発明の照明型看板の光源支持部付近の説明図。
【図５】従来の照明型看板の一例を示す説明図。
【図６】図５に示す照明型看板における表示パネルの照明状態を示す説明図。
【符号の説明】
【００２１】
　　１　ケース
　　２　光源
　　３　表示パネル
　　４　反射体
　　４ａ　反射体の底面反射部
　　５ａ　外側傾斜反射部
　　５ｂ　内側傾斜反射部
　　６　縦向き反射端部
　　８　光源間縦向き反射部
　１４　光反射材
　２０　発光管
　２１　フィルム
【手続補正３】
【補正対象書類名】図面
【補正対象項目名】図１
【補正方法】変更
【補正の内容】
【図１】
2004133432.tif 000016
【手続補正４】
【補正対象書類名】図面
【補正対象項目名】図２
【補正方法】変更
【補正の内容】
【図２】
2004133432.tif 000017
【手続補正５】
【補正対象書類名】図面
【補正対象項目名】図３
【補正方法】変更
【補正の内容】
【図３】
2004133432.tif 000018
【手続補正６】
【補正対象書類名】図面
【補正対象項目名】図４
【補正方法】変更
【補正の内容】
【図４】
2004133432.tif 000019
【手続補正７】
【補正対象書類名】図面
【補正対象項目名】図５
【補正方法】変更
【補正の内容】
【図５】
2004133432.tif 000020
【手続補正８】
【補正対象書類名】図面
【補正対象項目名】図６
【補正方法】変更
【補正の内容】
【図６】
2004133432.tif 000021
【手続補正９】
【補正対象書類名】図面
【補正対象項目名】図７
【補正方法】削除
【補正の内容】
【手続補正１０】
【補正対象書類名】図面
【補正対象項目名】図８
【補正方法】削除
【補正の内容】
【手続補正１１】
【補正対象書類名】図面
【補正対象項目名】図９
【補正方法】削除
【補正の内容】
【手続補正１２】
【補正対象書類名】図面
【補正対象項目名】図１０
【補正方法】削除
【補正の内容】
【手続補正１３】
【補正対象書類名】図面
【補正対象項目名】図１１
【補正方法】削除
【補正の内容】
【手続補正１４】
【補正対象書類名】図面
【補正対象項目名】図１２
【補正方法】削除
【補正の内容】
【手続補正１５】
【補正対象書類名】図面
【補正対象項目名】図１３
【補正方法】削除
【補正の内容】